(57)【要約】【課題】静電破壊を抑制しつつ配線の配線抵抗を緩和できる表示装置を提供する。【解決手段】表示装置は、表示領域の第１辺の外側に配置される走査線駆動回路と各走査線とをそれぞれ電気的に接続する複数の配線と、を備える。複数の配線のうち第１配線と、隣合う第２配線とは、走査線駆動回路から遠くなる方向に直線状に延びる線状部と、線状部と連続的に形成され、線状部が延びる方向から表示領域の第２辺に向けて湾曲し、線状部よりも幅が広くなるように近づける接続部とを備える。そして、第２配線に対向する第１配線の接続部の境界が曲線となっている。【選択図】図７
2017009716.tif 000002
【特許請求の範囲】
【請求項１】
基板上に複数の画素がマトリクス状に配置された、矩形の表示領域と、
前記画素が配列される行に沿って延びる複数の走査線と、
前記走査線に走査信号を順次供給する走査線駆動回路と、
前記表示領域の第１辺の外側に配置される走査線駆動回路と各前記走査線とをそれぞれ電気的に接続する複数の配線と、を備え、
前記複数の配線は、前記第１辺と直交する前記表示領域の第２辺の外側に配置され、
前記複数の配線のうち第１配線と、前記第１配線に隣合う第２配線とは、前記走査線駆動回路から遠くなる方向に直線状に延びる線状部と、前記線状部と連続的に形成され、前記線状部が延びる方向から前記表示領域の第２辺に向けて湾曲し、前記線状部よりも幅が広くなるように近づける接続部と、を備え、
前記第２配線に対向する前記第１配線の前記接続部の境界が曲線となっている、表示装置。
【請求項２】
前記第２配線に対向する前記第１配線の前記接続部の境界が弧状であり、前記第１配線の前記接続部に対向する前記第２配線の境界が弧状である、請求項１に記載の表示装置。
【請求項３】
前記複数の配線のうち第３配線は、前記走査線駆動回路から遠くなる方向に直線状に延びる線状部を備え、前記第３配線の線状部が走査線に直接接続され、
前記第３配線の線状部が前記走査線に接続される毎に、前記表示領域の第２辺に遠い側から幅が大きい線状部の数が増加する、請求項１又は２に記載の表示装置。
【請求項４】
前記接続部が前記走査線に接続される毎に、前記表示領域の第２辺に遠いほど前記第１配線の線状部の幅又は第２配線の線状部の幅が大きくなる、請求項１乃至３のいずれか１項に記載の表示装置。
【請求項５】
前記第２配線と前記第１配線との間を絶縁するスリット部は、同じ線間幅を有している、請求項１乃至４のいずれか１項に記載の表示装置。
【発明の詳細な説明】
【技術分野】
【０００１】
本発明は、表示装置に関する。
【背景技術】
【０００２】
配線の少なくとも１つにおいて、基材の第１辺から第２辺へ向けてその線幅が徐々に広くなる部分を配線の折れ曲がり部分の所に有する電気光学装置が下記特許文献１に記載されている。この電気光学装置において、線幅の広い部分を設けることにより、配線の配線抵抗を下げることができ、電気光学装置の表示領域にクロストークが発生することを防止できると記載されている。
【先行技術文献】
【特許文献】
【０００３】
【特許文献１】特開２００７−４７２５９号公報
【発明の概要】
【発明が解決しようとする課題】
【０００４】
しかしながら、特許文献１に記載の電気光学装置では、線幅の広い部分において、容量が増加して静電破壊が引き起こされる可能性がある。
【０００５】
本発明は、上記の課題に鑑みてなされたもので、静電破壊を抑制しつつ配線の配線抵抗を緩和できる表示装置を提供することを目的とする。
【課題を解決するための手段】
【０００６】
本発明の一態様の表示装置は、基板上に複数の画素がマトリクス状に配置された、矩形の表示領域と、前記画素が配列される行に沿って延びる複数の走査線と、前記走査線に走査信号を順次供給する走査線駆動回路と、前記表示領域の第１辺の外側に配置される走査線駆動回路と各前記走査線とをそれぞれ電気的に接続する複数の配線と、を備え、前記複数の配線は、前記第１辺と直交する前記表示領域の第２辺の外側に配置され、前記複数の配線のうち第１配線と、前記第１配線に隣合う第２配線とは、前記走査線駆動回路から遠くなる方向に直線状に延びる線状部と、前記線状部と連続的に形成され、前記線状部が延びる方向から前記表示領域の第２辺に向けて湾曲し、前記線状部よりも幅が広くなるように近づける接続部と、を備え、前記第２配線に対向する前記第１配線の前記接続部の境界が曲線となっている。
【図面の簡単な説明】
【０００７】
【図１】図１は、本実施形態に係る表示装置の一例を表す説明図である。
【図２】図２は、表示部の一例を示す断面図である。
【図３】図３は、図１の表示装置を表すブロック図である。
【図４】図４は、画素回路の一例を示す回路図である。
【図５】図５は、走査線駆動回路と各走査線とをそれぞれ電気的に接続する複数の配線を模式的に示す平面図である。
【図６】図６は、図５の配線を拡大して示す模式図である。
【図７】図７は、図６の走査線寄りの配線の一部をさらに拡大した配線の模式図である。
【図８】図８は、図６の走査線駆動回路寄りの配線の一部をさらに拡大した配線の模式図である。
【図９】図９は、図６の走査線寄りの配線の一部をさらに拡大した配線の模式図である。
【図１０】図１０は、図６の表示領域の第２辺から最も遠い配線の一部をさらに拡大した配線の模式図である。
【図１１】図１１は、図６の走査線寄りの配線の一部をさらに拡大した配線の模式図である。
【図１２】図１２は、図６の走査線寄りの配線の一部をさらに拡大した配線の模式図である。
【発明を実施するための形態】
【０００８】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、本実施形態に係る表示装置の一例を表す説明図である。図２は、表示部の一例を示す断面図である。図３は、図１の表示装置を表すブロック図である。図４は、画素回路の一例を示す回路図である。図１は模式的に表したものであり、実際の寸法、形状と同一とは限らない。
【００１０】
図１に示すように、表示装置１は、表示部２と、バックライト６と、を備えている。表示装置１は、透過型、又は半透過型の表示装置であってもよく、バックライト６を備えない、反射型の表示装置であってもよい。
【００１１】
表示部２には、平面視において、画像を表示する表示領域２１と、画像を表示できない非表示領域として額縁領域２９とがある。額縁領域２９は、表示領域２１の周囲にある。本実施形態では、表示部２の平面の一方向をＸ方向とし、Ｘ方向と直交する方向をＹ方向とし、Ｘ−Ｙ平面に直交する方向をＺ方向とする。表示領域２１は、矩形であり、第１辺２１ａ、第２辺２１ｂ、第３辺２１ｃ、第４辺２１ｄとで囲まれた領域である。
【００１２】
バックライト６は、表示部２の裏面側（Ｚ方向にみて画像を表示する面とは反対側の面）に配置されている。バックライト６は、表示部２に向けて光を照射し、表示領域２１の全面に光を入射させる。バックライト６は、例えば光源と、光源から出力された光を導いて、表示部２の裏面に向けて出射させる導光板と、を含む。バックライト６は、Ｘ方向又はＹ方向に並ぶ複数の光源を備え、それぞれの光源の光量が独立制御されていてもよい。これにより、バックライト６は、一部の光源のみが発光する光によって、表示部２の一部に、光を入射させることができる。なお、本実施形態の表示装置１は、光源として、表示部２の裏面側に配置されるバックライト６で説明するが、表示部２の表面側に配置されたフロントライトであってもよい。
【００１３】
図２は、表示部の一例を示す断面図である。図２に示すように、表示部２は、第１基板（上側基板）５０と、この第１基板５０の表面に垂直な方向（図１に示すＺ方向）に対向して配置された第２基板（下側基板）５２と、第１基板５０と第２基板５２との間に挿設された液晶層５４とを備えている。なお、液晶層５４とは反対側の第１基板５０の面には、バックライト６が配置されている。
【００１４】
液晶層５４には、液晶が多数分散されている。液晶層５４の液晶は、電界の状態に応じてそこを通過する光を変調するものであり、ＦＦＳ（フリンジフィールドスイッチング）又はＩＰＳ（インプレーンスイッチング）等の横電界モードの液晶で駆動される。
【００１５】
第１基板５０は、ガラスなどの透光性基板である画素基板６０と、画素基板６０の液晶層５４側に積層された第１配向膜６２と、画素基板６０の液晶層５４とは反対側に積層された第１偏光板６３と、を有する。画素基板６０については後述する。第１配向膜６２は、液晶層５４内の液晶分子を所定の方向に配向させるものであり、液晶層５４と直接に接している。第１配向膜６２は、例えば、ポリイミドなどの高分子材料からなり、例えば、塗布したポリイミド等に対してラビング処理を施すことにより形成されたものである。第１偏光板６３は、バックライト６側から入射してきた光を直線偏光に変換する機能を有している。
【００１６】
第２基板５２は、ガラスなどの透光性基板である対向基板６４と、この対向基板６４の液晶層５４側に形成されたカラーフィルタ６６と、カラーフィルタ６６の液晶層５４側に形成された第２配向膜６７と、対向基板６４の液晶層５４側とは反対側に形成された位相差板６８と、位相差板６８の対向基板６４側とは反対側に形成された第２偏光板６９と、を含む。
【００１７】
図３に示すように、表示領域２１には、画素Ｖｐｉｘがマトリクス状（行列状）に多数配置されている。走査線駆動回路２２と、信号線駆動回路２３とが、表示領域２１の第１辺２１ａよりも外側の額縁領域２９ａに配置されている。
【００１８】
図３に示すように、表示領域２１は、液晶層を含む画素Ｖｐｉｘが、表示上の１画素を構成するユニットがｍ行×ｎ列に配置されたマトリクス（行列状）構造を有している。なお、この明細書において、行とは、一方向に配列されるｍ個の画素Ｖｐｉｘを有する画素行をいう。また、列とは、行が配列される方向と直交する方向に配列されるｎ個の画素Ｖｐｉｘを有する画素列をいう。そして、ｍとｎとの値は、垂直方向の表示解像度と水平方向の表示解像度に応じて定まる。
【００１９】
表示領域２１は、画素Ｖｐｉｘのｍ行ｎ列の配列に対して行毎に走査線２４１、２４２、２４３・・・２４ｍが配線され、列毎に信号線２５１、２５２、２５３、２５４、２５５・・・２５ｎが配線されている。以後、本実施形態においては、走査線２４１、２４２、２４３・・・２４ｍを代表して走査線２４のように表記し、信号線２５１、２５２、２５３・・・２５ｎを代表して信号線２５のように表記することがある。
【００２０】
表示領域２１は、平面視（Ｚ方向）でみた場合、走査線２４と信号線２５がカラーフィルタ６６（図２参照）と同層のブラックマトリクス７６ａと重なる領域に配置されている。また、表示領域２１は、ブラックマトリクス７６ａが配置されていない領域が開口部７６ｂとなる。
【００２１】
図２に示すカラーフィルタ６６は、例えば、赤（Ｒ）、緑（Ｇ）、青（Ｂ）の３色に着色された色領域を含む。カラーフィルタ６６は、図４に示す開口部７６ｂに例えば赤（Ｒ）、緑（Ｇ）、青（Ｂ）の３色に着色された色領域を周期的に配列して、各画素ＶｐｉｘにＲ、Ｇ、Ｂの３色の色領域が１組として画素Ｐｉｘとして対応付けられている。このため、画素Ｖｐｉｘは、副画素とも呼ばれる。カラーフィルタ６６は、画素基板６０と垂直な方向において、液晶層５４と対向する。なお、カラーフィルタ６６は、異なる色に着色されていれば、他の色の組み合わせであってもよい。なお、カラーフィルタ６６は、ブラックマトリクス７６ａが図３に示す画素Ｖｐｉｘの外周を覆うように形成されていてもよい。このブラックマトリクス７６ａは、二次元配置された画素Ｖｐｉｘと画素Ｖｐｉｘとの境界に配置されることで、格子形状となる。そして、ブラックマトリクス７６ａは、カラーフィルタ６６よりも光の吸収率が高い材料で形成される。
【００２２】
図２に示すように、第２配向膜６７は、第１配向膜６２と同様に、液晶層５４内の液晶分子を所定の方向に配向させるものであり、液晶層５４と直接に接している。第２配向膜６７は、例えば、ポリイミドなどの高分子材料からなり、例えば、塗布したポリイミド等に対してラビング処理を施すことにより形成されたものである。位相差板６８は、第１偏光板６３及び第２偏光板６９に生じる偏光板起因の視野角を補償する機能を有する。第２偏光板６９は、偏光板吸収軸と平行な直線偏光成分を吸収し、直交する偏光成分を透過する機能を有している。第２偏光板６９は、液晶のＯＮ／ＯＦＦ状態に依存して光を透過／遮断する機能を有している。
【００２３】
図４に示す走査線駆動回路２２は、外部から供給された１ライン分のデジタルデータを走査信号として順に出力し、表示領域２１の走査線２４１、２４２、２４３・・・２４ｍに走査信号を与えることによって画素Ｖｐｉｘを行単位で順次走査する。走査線駆動回路２２は、例えば、走査線２４１がある垂直走査上方向から、走査線２４ｍがある垂直走査下方向（Ｙ方向）へ順にデジタルデータを出力する。なお、走査線駆動回路２２は、垂直走査下方向から、垂直走査上方向へ順にデジタルデータを出力してもよい。
【００２４】
信号線駆動回路２３には、例えば６ビットのＲ（赤）、Ｇ（緑）、Ｂ（青）のデジタル映像データが与えられる。信号線駆動回路２３は、走査線駆動回路２２による垂直走査によって走査された行の各画素Ｖｐｉｘに対して、画素毎に、もしくは複数の副画素毎に、あるいは複数の副画素一斉に、信号線２５を介して表示データを書き込む。
【００２５】
図２に示す画素基板６０には、平面視において、能動素子（例えば、薄膜トランジスタ）を含む多数の画素回路がマトリクス状に配置形成される。表示領域２１には、図４に示す各画素Ｖｐｉｘの薄膜トランジスタ（ＴＦＴ；Thin  Film  Transistor）Ｔｒに表示データとして画素信号を供給する信号線２５、各薄膜トランジスタＴｒを駆動する走査線２４等の配線が形成されている。このように、信号線２５は、上述した画素基板６０の表面と平行な平面に延在し、画素Ｖｐｉｘに画像を表示するための画素信号を供給する。画素Ｖｐｉｘは、薄膜トランジスタＴｒ及び液晶の容量ＬＣを備えている。薄膜トランジスタＴｒは、この例では、ｎチャネルのＭＯＳ（Metal  Oxide  Semiconductor）型のＴＦＴで構成されている。薄膜トランジスタＴｒのソース及びドレインのうち一方は信号線２５に接続され、ゲートは走査線２４に接続され、ソース及びドレインのうち他方は液晶の容量ＬＣの一端に接続されている。液晶の容量ＬＣは、一端が薄膜トランジスタＴｒに接続され、他端が共通電極ｃｏｍのコモン電位Ｖｃｏｍに接続されている。このように、画素Ｖｐｉｘ毎の画素電極に対して各画素共通に与えるコモン電位Ｖｃｏｍが表示領域２１に与えられている。
【００２６】
画素Ｖｐｉｘは、走査線２４により、表示領域２１の同じ行に属する他の画素Ｖｐｉｘと互いに接続されている。各走査線２４は、画素Ｐｉｘ又は画素Ｖｐｉｘが配列される行に沿って延びて、走査線駆動回路２２と接続され、走査線駆動回路２２から走査信号が供給される。また、画素Ｖｐｉｘは、信号線２５により、表示領域２１の同じ列に属する他の画素Ｖｐｉｘと互いに接続されている。各信号線２５は、信号線駆動回路２３と接続され、信号線駆動回路２３より画素信号が供給される。共通電極ｃｏｍのコモン電位Ｖｃｏｍは、不図示の駆動電極ドライバと接続され、駆動電極ドライバより電圧が供給される。さらに、画素Ｖｐｉｘは、共通電極ｃｏｍのコモン電位Ｖｃｏｍにより、表示領域２１の同じ列に属する他の画素Ｖｐｉｘと互いに接続されている。
【００２７】
図５は、走査線駆動回路と各走査線とをそれぞれ電気的に接続する複数の配線を模式的に示す平面図である。走査線駆動回路２２及び信号線駆動回路２３は、それぞれＣＯＧ（Chip  On  Glass）と呼ばれる集積回路である。本実施形態では、走査線駆動回路２２及び信号線駆動回路２３を２つの集積回路としたが、走査線駆動回路２２及び信号線駆動回路２３を１つの集積回路としてもよい。また、走査線駆動回路２２及び信号線駆動回路２３が上述した駆動電極ドライバとともに１つの集積回路とされてもよい。
【００２８】
走査線駆動回路２２は、図３及び図５に示す複数の配線１００及び複数の走査線２４（走査線２４１、２４２、２４３・・・２４ｍ）を介して、各画素Ｖｐｉｘの薄膜トランジスタＴｒのゲートに走査信号を印加する。これにより、表示領域２１の画素Ｖｐｉｘのうちの１行（１水平ライン）が表示駆動の対象として順次選択される。
【００２９】
信号線駆動回路２３は、図３及び図５に示す複数の配線２００及び信号線２５（信号線２５１、２５２、２５３、２５４、２５５・・・２５ｎ）を介して、走査線駆動回路２２により順次選択される１水平ライン分の各画素Ｖｐｉｘに画素信号をそれぞれ供給する。そして、これらの画素Ｖｐｉｘでは、供給される画素信号に応じて、１水平ラインの表示が行われる。
【００３０】
図５に示すように、複数の配線１００は、表示領域２１の第１辺２１ａと直交する表示領域２１の第２辺２１ｂの外側の額縁領域２９ｂに配置されている。複数の配線１００のそれぞれの配線は、走査線駆動回路２２と各走査線２４とをそれぞれ電気的に接続している。複数の配線１００は、例えばアルミニウム（Ａｌ）又はアルミニウム合金の導電体で形成された導電パターンである。あるいは、複数の配線１００は、アルミニウム（Ａｌ）、チタン（Ｔｉ）、モリブテン（Ｍｏ）など導電性金属のうち２種類以上の金属を積層した導電体で形成された導電パターンであってもよい。
【００３１】
複数の配線１００の数は、走査線２４の数と同じである。表示領域２１の解像度が増加するほど、走査線２４の数が増える。従って、表示領域２１の解像度が増加するほど、複数の配線１００の数も増える。このため、限られた額縁領域２９ｂに配置される複数の配線１００のＸ方向の幅は、表示領域２１の解像度が増加するほど小さくなる。
【００３２】
図６は、図５の配線を拡大して示す模式図である。図７は、図６の走査線寄りの配線の一部をさらに拡大した配線の模式図である。図８は、図６の走査線駆動回路寄りの配線の一部をさらに拡大した配線の模式図である。図５に示すように、配線１００は、走査線駆動回路２２から遠くなる方向に延びる。そして、各配線は、Ｘ方向に並んでいる。図６に示すように、配線１００は、Ｙ方向に並ぶ走査線２４にそれぞれ接続されていくので、走査線駆動回路２２（図５参照）から遠くなるに従って、Ｘ方向の配線１００の数が減っていくことになる。
【００３３】
図６において、走査線２４と接続する領域３０Ａの位置が走査線駆動回路２２（図５参照）から最も遠い位置である。図６において、走査線２４と接続する領域３０Ｃの位置が走査線駆動回路２２（図５参照）から最も近い位置である。走査線駆動回路２２（図５参照）から最も遠い位置の走査線と走査線駆動回路２２（図５参照）から最も近い位置の走査線との距離を距離ＬＬとした場合、領域３０Ｂが距離ＬＬの中間距離ＬＬ／２に位置している。
【００３４】
図６において、領域３０Ｄの位置が走査線２４と接続される前の位置にある。つまり、領域３０Ｄは、領域３０Ｃよりも走査線駆動回路２２（図５参照）寄りである。図６に示す領域３０Ｅは、表示領域２１の第２辺２１ｂ（図５参照）よりＸ方向に最も遠い配線１００がある。
【００３５】
実施形態１において、図７に示す配線が領域３０Ｃに配置されている。図８に示す配線は、図６に示す領域３０Ｄに配置されている。以下の説明では、図７に示す配線と同様の配線が領域３０Ｂに配置されているので、領域３０Ｂについては、詳細な説明を省略する。図６に示す領域３０Ｅには、実施形態２において後述する図１０に示す配線が配置されている。図６に示す領域３０Ａには、実施形態２において後述する図１１に示す配線が配置されている。
【００３６】
図８に示すように、複数の配線１００がＹ方向に沿って延び、Ｘ方向に等間隔に並んでいる。図８には、複数の配線１００のうち４つの隣合う配線を代表して例示しており、これら配線には、線状部１０１、線状部１１１、線状部１２１、線状部１３１がある。
【００３７】
図７に示すように、複数の配線１００のうち４つの隣合う配線を代表して例示しており、これら配線には、図８で図示した線状部１０１、線状部１１１、線状部１２１、線状部１３１と連続的に形成される接続部１０２、接続部１１２、接続部１２２、接続部１３２がある。
【００３８】
図７に示すように、接続部１０２、接続部１１２、接続部１２２、接続部１３２は、線状部１０１、線状部１１１、線状部１２１、線状部１３１が延びる方向から表示領域２１の第２辺２１ｂに向けて湾曲している。
【００３９】
接続部１０２、接続部１１２、接続部１２２、接続部１３２は、それぞれ走査線２４とスルーホールなどによって形成した導電性の端子２４Ｐを介して接続されている。
【００４０】
ここで線状部１１１と接続部１１２とが連続的に同じ導電体で形成されているので、線状部１１１の境界１１１Ｕと、接続部１１２の境界１１２Ｕとが連続的に繋がっている。同様に、接続部１１２の境界１１２Ｈと、線状部１１１の境界１１１Ｄとが連続的に繋がっている。線状部１１１の境界１１１Ｄと接続部１１２の境界１１２Ｈとが交わる交差部は、角にならないよう曲線状に面取りされている。接続部１１２において境界１１２Ｕが、隣りの配線の線状部１１１の境界１２１Ｄと対向しており、曲線を有している。この曲線は、角がなければどのような曲線でもよい。言い換えると、接続部１１２の境界１１２Ｕが曲線のつながった弧状である。例えば、接続部１１２において境界１１２Ｕの弧は、楕円の一部と重なる楕円弧である。ここで、境界１２１Ｄも弧状である。
【００４１】
そして、接続部１１２は、接続される走査線２４よりもＹ方向に隣りの走査線２４をＸ方向に延長した仮想線ＳＳと、境界１１２Ｕと、境界１１２Ｈとで囲まれた導電パターンである。
【００４２】
同様に、線状部１２１と接続部１２２とが連続的に同じ導電体で形成されているので、線状部１２１の境界１２１Ｕと、接続部１２２の境界１２２Ｕとが連続的に繋がっている。接続部１２２の境界１２２Ｈと、線状部１２１の境界１２１Ｄとが連続的に繋がっている。線状部１２１の境界１２１Ｄと接続部１２２の境界１２２Ｈとが交わる交差部は、角にならないよう曲線状に面取りされている。接続部１２２において境界１２２Ｕが、隣りの配線の線状部１３１の境界１３１Ｄと対向しており、曲線を有している。この曲線は、角がなければどのような曲線でもよい。言い換えると、境界１２２Ｕが曲線のつながった弧状である。例えば、接続部１２２において境界１２２Ｕの弧は、楕円の一部と重なる楕円弧である。ここで境界１３１Ｄも弧状である。
【００４３】
接続部１１２の境界１１２Ｕが有する曲線と、接続部１２２の境界１２２Ｕが有する曲線とが、同じ弧を有していることがより好ましい。例えば、境界１１２Ｕが有する弧が重なる楕円が、境界１２２Ｕが有する弧が重なる楕円と同じ楕円である。これにより、配線間スペースの粗密の偏りがなくなり、安定してエッチングができる。以上、接続部１１２及び接続部１２２について説明したが、接続部１０１及び接続部１３２についても同様の構造である。
【００４４】
図７に示すように、接続部１１２、接続部１２２、接続部１３２のそれぞれのＹ方向の幅ＬＴが、線状部１０１、線状部１１１、線状部１２１、線状部１３１のそれぞれのＸ方向の幅Ｗ１、Ｗ２、Ｗ３よりも広くなっている。接続部１０２、接続部１１２、接続部１２２、接続部１３２のそれぞれのＹ方向の幅ＬＴは、隣合う走査線２４間のピッチ距離ＰＴよりも狭い距離である。
【００４５】
隣合う配線において、導電体のないスリット部ＳＬ１２が線状部１１１と線状部１２１との間を絶縁するとともに、接続部１１２と接続部１２２との間を絶縁している。スリット部ＳＬ１２の線間幅ＳＷ１は、線状部１１１と線状部１２１との間と、接続部１１２と接続部１２２との間とで同じ線間幅である。
【００４６】
また、隣合う配線において、導電体のないスリット部ＳＬ２３が線状部１２１と線状部１３１との間を絶縁するとともに、接続部１２２と接続部１３２との間を絶縁している。スリット部ＳＬ２３の線間幅ＳＷ２は、線状部１２１と線状部１３１との間と、接続部１２２と接続部１３２との間とで同じ線間幅である。
【００４７】
このように、スリット部ＳＬ１２、スリット部ＳＬ２３のように、隣合う配線間のスリット部を同じ配線幅とすることで、角のできない形状となり、各配線１００となる最大限の導電体の導電パターンの面積を確保することができる。
【００４８】
ここで、図３に示す走査線駆動回路２２と走査線２４１、２４２、２４３・・・２４ｍに接続するための各配線１００について考える。走査線２４１、２４２、２４３・・・２４ｍの順に走査線駆動回路２２との距離が近い。このため、走査線駆動回路２２と走査線２４１、２４２、２４３・・・２４ｍに接続するためにそれぞれ接続する配線１００の距離を、距離Ｌ１、距離Ｌ２、距離Ｌ３・・・距離Ｌｍとした場合、距離Ｌｍ・・・距離Ｌ３、距離Ｌ２、距離Ｌ１の順に大きくなる。その結果、走査線２４１、２４２、２４３、２４ｍのＸ方向の幅が同じであると、距離Ｌｍ・・・距離Ｌ３、距離Ｌ２、距離Ｌ１の差に応じて、配線１００の抵抗差が生じる。各配線１００の抵抗差が大きいと、走査線駆動回路２２から同じ走査信号のパルスを走査線２４１、２４２、２４３・・・２４ｍに送出しても、伝送される走査信号のパルスに時定数の差が生じ、表示領域２１の表示品位に影響を与える可能性がある。
【００４９】
このため、実施形態１の表示装置においては、各配線１００の抵抗差を緩和するために、図７に示すＸ方向の幅Ｗ１、Ｗ２、Ｗ３が、同じＹ方向の位置でみたときに、Ｘ方向に徐々に大きくなるようにしてある。
【００５０】
実施形態１において、さらに配線の抵抗を小さくするために、接続部１０２、接続部１１２、接続部１２２、接続部１３２のそれぞれの幅が線状部１０１、線状部１１１、線状部１２１、線状部１３１の幅よりも広くなるようになっている。これにより、接続部１０２、接続部１１２、接続部１２２、接続部１３２が有する寄生容量が増え、隣合う配線１００間で静電破壊が生じ易くなる可能性がある。
【００５１】
実施形態１の表示装置において、複数の配線１００のうち１つが第１配線とされる場合、例えば、第１配線が線状部１１１と接続部１１２とを有している。この第１配線に隣合う第２配線は、線状部１２１と接続部１２２とを有している。そして、第２配線に対向する第１配線の接続部１１２の境界１１２Ｕが曲線となっている。このような構造とすることで、境界１１２Ｕには角がなくなり、第１配線の接続部１１２と第２配線との間の静電気の伝播が抑制される。
【００５２】
また、接続部１１２の境界１１２Ｕが弧状であり、接続部１１２の境界１１２Ｕに対向する第２配線の境界１２１Ｄが弧状である。第２配線と第１配線との間を絶縁するスリット部ＳＬ１２によれば、第２配線の境界１２１Ｄの一部も曲線となり、第１配線の接続部１１２と第２配線との間の静電気の伝播がより抑制される。第１配線が線状部１１１と接続部１１２とを有している構造を代表して説明したが、表示領域２１の第２辺２１ｂ（図５参照）よりＸ方向に最も遠い１つの配線１００を除く、全ての複数の配線１００のいずれか１つの配線が第１配線であればよい。
【００５３】
（第２実施形態）
図９、図１１は、図６の走査線寄りの配線の一部をさらに拡大した配線の模式図である。図１０は、図６の表示領域の第２辺から最も遠い配線の一部をさらに拡大した配線の模式図である。なお、上述した実施形態１で説明したものと同じ構成要素には同一の符号を付して重複する説明は省略する。
【００５４】
実施形態２において、図９に示す配線が、図６に示す領域３０Ｃに配置されている。図８に示す配線は、図６に示す領域３０Ｄに配置されている。図１０に示す配線が、図６に示す領域３０Ｅに配置されている。図１１に示す配線が、図６に示す領域３０Ａに配置されている。なお、図７に示す配線と同様の配線が領域３０Ｂに配置されているので、領域３０Ｂについては、詳細な説明を省略する。
【００５５】
図９に示すように、図８で図示した線状部１０１、線状部１１１、線状部１２１、線状部１３１が連続的に延びている。図９において、線状部１０１が走査線２４とスルーホールなどによって形成した導電性の端子２４Ｐを介して直接接続されている。同様に、線状部１１１が走査線２４とスルーホールなどによって形成した導電性の端子２４Ｐを介して直接接続されている。
【００５６】
線状部１０１が走査線２４に直接接続されると、Ｘ方向の配線１００の数が減るため、隣合う端子２４Ｐ間の間に、スペースができる。このスペースを埋めるように、線状部１１１がＹ方向となす角度θ分だけ傾斜させながら走査線駆動回路２２（図５参照）から遠くなるように延びている。線状部１１１と並ぶ線状部１２１、線状部１３１も同様に、Ｙ方向となす角度θ分だけ傾斜させる。
【００５７】
図１０に示すように、最も第２辺２１ｂ寄りの線状部１０１（図９参照）が１つ走査線２４に接続されると、線状部１０１よりもＸ方向に最も遠い配線の線状部１１２１の幅が広がり、所定の幅ＷＷ１１２１とする。次に、第２辺２１ｂ寄りの線状部１１１（図９参照）が１つ走査線２４に接続されると、線状部１１２１よりも第２辺２１ｂ（図６参照）寄り、つまり内側の線状部１１１１が所定の幅ＷＷ１１１１となるように幅を広くする。同様に、第２辺２１ｂ寄りの線状部１２１（図９参照）が１つ走査線２４に接続されると、線状部１１１１の次に内側の線状部１１０１が所定の幅ＷＷ１１０１となるようにする。実施形態２において、幅ＷＷ１１２１、幅ＷＷ１１１１及び幅ＷＷ１１０１は同じ幅である。
【００５８】
このように、最も第２辺２１ｂ寄りの１つの線状部が１つの走査線２４に接続される毎に、幅が大きくなる線状部が増えるようにしている。図１０に示す、Ｘ方向に順に配置された線状部２２１、線状部２２２、線状部２２３を用いて説明すると、線状部２２２がＸ方向の幅が広くなっている。ここで、最も第２辺２１ｂ寄りの線状部に沿って、線状部２２１がＹ方向に対して角度θ傾斜している。線状部２２１に対向する線状部２２２の境界は、角度θで傾斜しているのに対し、線状部２２２の境界は、Ｙ方向に平行である。線状部２２１と線状部２２２との間を絶縁するスリット部ＳＬは、同じ線間幅を有している。このため、走査線駆動回路２２から遠くなる方向に線状部２２２が延びるにつれて、徐々に角度θ分の幅が広がり、上述した幅ＷＷ１１２１、幅ＷＷ１１１１及び幅ＷＷ１１０１と同じ幅Ｗ２２２になるまで、Ｘ方向の幅が広がる。
【００５９】
第２実施形態の表示装置において、走査線駆動回路２２から遠くなる方向に直線状に延びる線状部が備えられ、この線状部が走査線２４に直接接続される第３配線となる。この第３配線の線状部が走査線２４に接続される毎に、表示領域２１の第２辺２１ｂに遠い側から幅が大きい線状部の数が増加する。この構造によれば、隣りの配線の幅が同じことが多くなり、隣りの配線と寄生容量の差がつきにくくなり、静電破壊が生じにくくなる。
【００６０】
例えば、複数の配線のうち半分の配線が、線状部が走査線２４に直接接続される第３配線とされ、残りの配線が上述した接続部を介して走査線２４に接続される配線とされる。この場合、線状部が走査線２４に直接接続される第３配線が、走査線駆動回路２２（図５参照）から最も近い位置の走査線から中間距離ＬＬ／２まで配置される。そうすると、領域３０Ｂから走査線駆動回路２２（図５参照）から最も遠い位置の領域３０Ａまでは、図７に示した接続部１０２、接続部１１２、接続部１２２、接続部１３２と同様の接続部を介して走査線２４に接続される。
【００６１】
実施形態２の表示装置において、表示領域２１の第２辺２１ｂに遠い側から幅が大きい線状部１１２１のような線状部の数が増加すると、各配線１００の抵抗差を緩和することができる。領域３０Ｂから走査線駆動回路２２（図５参照）から最も遠い位置の走査線までは、接続部１０２、接続部１１２、接続部１２２、接続部１３２で例示したものと同様の接続部が形成されるので、各配線１００の抵抗差を小さくすることができる。
【００６２】
領域３０Ａにおける接続部の面積を領域３０Ｂにおける接続部の面積よりも大きくすると、より各配線１００の抵抗差を小さくすることができる。
【００６３】
図１１に示すように、接続部１１０２、接続部１１１２、接続部１１２２は、線状部１１０１、線状部１１１１、線状部１１２１が延びる方向から表示領域２１の第２辺２１ｂに向けて湾曲している。
【００６４】
接続部１１０２、接続部１１１２、接続部１１２２は、それぞれ走査線２４とスルーホールなどによって形成した導電性の端子２４Ｐを介して接続されている。
【００６５】
ここで線状部１１０１と接続部１１０２とが連続的に同じ導電体で形成されているので、線状部１１０１の境界１１０１Ｕと、接続部１１０２の境界１１０２Ｕとが連続的に繋がっている。同様に、接続部１１０２の境界１１０２Ｈと、線状部１１０１の境界１１０１Ｄとが連続的に繋がっている。接続部１１０２において境界１１０２Ｕが、隣りの配線の接続部１１１２の境界１１１２Ｄと対向しており、曲線を有している。この曲線は、角がなければどのような曲線でもよい。言い換えると、接続部１１０２の境界１１０２Ｕが曲線のつながった弧状である。例えば、接続部１１０２において境界１１０２Ｕの弧は、楕円の一部と重なる楕円弧である。ここで、境界１１１２Ｄも弧状である。
【００６６】
同様に線状部１１１１と接続部１１１２とが連続的に同じ導電体で形成されているので、線状部１１１１の境界１１１１Ｕと、接続部１１１２の境界１１１２Ｕとが連続的に繋がっている。また、接続部１１１２の境界１１１２Ｈと、線状部１１１１の境界１１１１Ｄとが連続的に繋がっている。接続部１１１２において境界１１１２Ｕが、隣りの配線の線状部１１２１の境界１１２１Ｄと対向しており、曲線を有している。この曲線は、角がなければどのような曲線でもよい。言い換えると、接続部１１１２の境界１１１２Ｕが曲線のつながった弧状である。例えば、接続部１１１２において境界１１１２Ｕの弧は、楕円の一部と重なる楕円弧である。ここで、境界１１２１Ｄも弧状である。
【００６７】
同様に、線状部１１２１と接続部１１２２とが連続的に同じ導電体で形成されているので、線状部１１２１の境界１１２１Ｕと、接続部１１２２の境界１１２２Ｕとが連続的に繋がっている。接続部１１２２の境界１１２２Ｈと、線状部１１２１の境界１１２１Ｄとが連続的に繋がっている。接続部１１２２において境界１２０２Ｕが、曲線を有している。この曲線は、角がなければどのような曲線でもよい。
【００６８】
実施形態２の表示装置において、複数の配線１００のうち１つが第１配線とされる場合、例えば、第１配線が線状部１１０１と接続部１１０２とを有している。この第１配線に隣合う第２配線は、線状部１１１１と接続部１１１２とを有している。そして、第２配線に対向する第１配線の接続部１１０２の境界１１２Ｕが曲線となっている。このような構造とすることで、境界１１０２Ｕには角がなくなり、第１配線と第２配線との間の静電気の伝播が抑制される。
【００６９】
図１０及び図１１に示すように、隣合う配線において、導電体のないスリット部ＳＬＰが線状部１１０１と線状部１１１１との間を絶縁するとともに、接続部１１０２と接続部１１１２との間を絶縁している。スリット部ＳＬＰの線間幅は、線状部１１０１と線状部１１１１との間と、接続部１１０２と接続部１１１２との間とで同じ線間幅である。
【００７０】
また、接続部１１０２の境界１１０２Ｕが弧状であり、接続部１１０２の境界１１０２Ｕに対向する第２配線の境界１１１２Ｄが弧状である。第２配線と第１配線との間を絶縁するスリット部ＳＬＰによれば、第２配線の境界１１１２Ｄの一部も曲線となり、第１配線と第２配線との間の静電気の伝播がより抑制される。
【００７１】
実施形態２の表示装置において、複数の配線１００のうち１つが第１配線とされる場合、この第１配線が線状部１１１１と接続部１１１２とを有している。この第１配線に隣合う第２配線は、線状部１１２１と接続部１１２２とを有している。そして、第２配線に対向する第１配線の接続部１１１２の境界１１１２Ｕが曲線となっている。このような構造とすることで、境界１１１２Ｕには角がなくなり、第１配線と第２配線との間の静電気の伝播が抑制される。
【００７２】
図１０及び図１１に示すように、隣合う配線において、導電体のないスリット部ＳＬＱが線状部１１１１と線状部１１２１との間を絶縁するとともに、接続部１１１２と接続部１１２２との間を絶縁している。スリット部ＳＬＱの線間幅は、線状部１１１１と線状部１１２１との間と、接続部１１１２と接続部１１２２との間とで同じ線間幅である。
【００７３】
また、接続部１１１２の境界１１１２Ｕが弧状であり、接続部１１１２の境界１１１２Ｕに対向する第２配線の境界１１２１Ｄが弧状である。第２配線と第１配線との間を絶縁するスリット部ＳＬＱによれば、第２配線の境界１１２１Ｄの一部も曲線となり、第１配線と第２配線との間の静電気の伝播がより抑制される。
【００７４】
（第３実施形態）
図１２は、図６の走査線寄りの配線の一部をさらに拡大した配線の模式図である。なお、上述した実施形態１及び実施形態２で説明したものと同じ構成要素には同一の符号を付して重複する説明は省略する。
【００７５】
実施形態３の表示装置において、図９に示す配線が、図６に示す領域３０Ｃに配置されている。図８に示す配線は、図６に示す領域３０Ｄに配置されている。図１０に示す配線が、図６に示す領域３０Ｅに配置されている。図１１に示す配線が、図１２に示す領域３０Ａに配置されている。なお、領域３０Ｂ、領域３０Ｃ、領域３０Ｄについては、実施形態２と同様の配線が位置されているので、詳細な説明を省略する。
【００７６】
図１２に示すように、隣合う配線において、導電体のないスリット部ＳＬＰが線状部１１０１と線状部１１１１との間を絶縁するとともに、接続部１１０２と接続部１１１２との間を絶縁している。スリット部ＳＬＰは、線状部１１０１と線状部１１１１との間の線間幅よりも第２辺２１ｂ側で広くするスリット拡大部ＳＬＷを有している。上述したように、接続部１１０２の境界１１０２Ｕが曲線のつながった弧状である。また、境界１１１２Ｄも弧状である。
【００７７】
スリット拡大部ＳＬＷによれば、接続部１１０２の境界１１０２Ｈと接続部１１１２の境界１１１２Ｈとの距離が広がり、第１配線と第２配線との間の静電気の伝播がより抑制される。
【００７８】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【００７９】
例えば、上述した各実施形態の表示装置１は、液晶表示装置を説明したが、有機発光ダイオード（ＯＬＥＤ；Organic  Light  Emitting  Diode）のような自発光体を点灯する表示装置にも適用することが可能である。また、図５に示す、走査線駆動回路２２が複数あってもよい。また、図５に示す配線１００が、表示領域２１の第２辺２１ｂの外側ではなく、表示領域２１の第２辺２１ｄの外側にあってもよい。また、図５に示す配線１００が、表示領域２１の第４辺２１ｂの外側に加えて、表示領域２１の第４辺２１ｄの外側にあってもよい。さらに、上述した各実施形態は、各構成要素を適宜組み合わせることが可能である。
【００８０】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００８１】
１  表示装置
２  表示部
６  バックライト
２１  表示領域
２１ａ  第１辺
２１ｂ  第２辺
２２  走査線駆動回路
２４  走査線
２９ｂ  額縁領域
６０  画素基板
１００  配線
１０１、１１１、１２１、１３１、２２１、２２２、２２３、１１０１、１１１１、１１２１  線状部
１０２、１１２、１２２、１３２、１１０２、１１１２、１１２２  接続部
１１１Ｕ、１１２Ｕ、１２１Ｕ、１２２Ｕ、１１０１Ｕ、１１０２Ｕ、１１１１Ｕ、１１１２Ｕ、１１２１Ｕ、１１２２Ｕ  境界
Ｐｉｘ、Ｖｐｉｘ  画素
ＳＬ１２、ＳＬ２３、ＳＬＰ、ＳＬＱ  スリット部
ＳＬＷ  スリット拡大部
ＳＷ１、ＳＷ２  線間幅
【図１】
2017009716.tif 000003
【図２】
2017009716.tif 000004
【図３】
2017009716.tif 000005
【図４】
2017009716.tif 000006
【図５】
2017009716.tif 000007
【図６】
2017009716.tif 000008
【図７】
2017009716.tif 000009
【図８】
2017009716.tif 000010
【図９】
2017009716.tif 000011
【図１０】
2017009716.tif 000012
【図１１】
2017009716.tif 000013
【図１２】
2017009716.tif 000014